(57)【特許請求の範囲】
【請求項１】
撮影装置であって、前記撮影装置は第1撮影部および第2撮影部を備え、前記第1撮影部は、前記撮影装置の第1コーナーに配置され、前記第2撮影部は、前記第1コーナーに隣接する第2コーナーに配置され、かつ前記第1撮影部および前記第2撮影部のそれぞれは、
第1レンズおよび第2レンズであって、前記第1レンズおよび前記第2レンズは、前記撮影装置の2つの隣接する表面上にそれぞれ配置され、前記2つの隣接する表面は前記撮影装置の1つのコーナーを形成し、前記第1レンズは第1像を取得するように構成され、かつ前記第2レンズは第2像を取得するように構成された、第1レンズおよび第2レンズと、
前記第1レンズの光軸と前記第2レンズの光軸との交差点に配置され、かつ前記第1像を透過しまたは反射し、かつ前記第2像を反射しまたは透過するように構成された光制御部であって、前記光制御部は半透過半反射レンズであり、前記第1レンズによって取得された前記第1像は、前記半透過半反射レンズによってイメージセンシング部に透過され、かつ前記第2レンズによって取得された前記第2像は、前記半透過半反射レンズによって前記イメージセンシング部に反射される、光制御部と、
前記光制御部を使用することによって、前記第1像および前記第2像を集光し、かつ前記第1像および前記第2像を広視野の像に合成するように構成されたイメージセンシング部と
を備える撮影装置。
【請求項２】
前記第1レンズは第1時点で前記第1像を取得し、前記第2レンズは第2時点で前記第2像を取得し、かつ前記第1時点は前記第2時点と異なる、請求項1に記載の撮影装置。
【請求項３】
前記光制御部は、第1時点で、前記第1レンズによって取得された前記第1像を透過し、かつ前記光制御部は、第2時点で、前記第2レンズによって取得された前記第2像を反射する、請求項1または2に記載の撮影装置。
【請求項４】
前記第1撮影部および前記第2撮影部のそれぞれは、前記第1レンズによって前記第1像を取得する時間と、前記第2レンズによって前記第2像を取得する時間とが、前記イメージセンシング部の露光時間にそれぞれ一致するように、前記第1レンズおよび前記第2レンズを前記イメージセンシング部と同期させるように構成され、または、前記光制御部によって前記透過しまたは反射する時間が、前記イメージセンシング部の露光時間に一致するように、前記光制御部を前記イメージセンシング部と同期させるように構成された同期クロック部をさらに備える、請求項1〜3のいずれか一項に記載の撮影装置。
【請求項５】
前記第1撮影部および前記第2撮影部のそれぞれは、前記第1像および前記第2像の収差補償またはズームを実行するために、前記光制御部と、前記イメージセンシング部との間に配置されるレンズグループ部をさらに備える、請求項1〜4のいずれか一項に記載の撮影装置。
【請求項６】
前記第1撮影部および前記第2撮影部のそれぞれは、前記光制御部と前記イメージセンシング部との間に配置された遅延部およびマイクロレンズアレイをさらに備え、前記マイクロレンズアレイは、前記第1像および前記第2像のズームを実行するために、前記遅延部と、前記イメージセンシング部との間に配置され、前記遅延部は、前記遅延部の後の面まで前記第1レンズおよび前記第2レンズの像面を遅延させるように構成される、請求項1〜5のいずれか一項に記載の撮影装置。
【請求項７】
超広視野の像を取得するために、前記2つの隣接する表面は第1コーナーを形成し、前記第1撮影部は前記第1コーナーに配置され、かつ前記撮影装置は前記撮影装置の中心軸の周りに回転撮影を実行する、請求項1〜6のいずれか一項に記載の撮影装置。
【請求項８】
前記光制御部は、45度の角度で前記第1レンズの前記光軸または前記第2レンズの前記光軸と交差する、請求項1〜7のいずれか一項に記載の撮影装置。
【発明の詳細な説明】
【技術分野】
【０００１】
本発明は、撮影技術の分野に関し、特に撮影装置に関する。
【背景技術】
【０００２】
現在、携帯電話のカメラは、一般的に携帯電話の背面または前面に配置されている。撮影時に、ユーザは、視線とほとんど平行な位置に携帯電話を持ち上げる必要があり、一般的に2つの手を使用し、片手は携帯電話を保持するために、他方の手は撮影動作を実行するために使用する。
【０００３】
従来の広角レンズは、より広視野を得るために、すなわちより広範囲の光を集光するために、広角レンズのレンズの第一のシートは一般的に比較的凸状であり、表面屈曲は比較的大きい。しかし、比較的大きなサイズの広角レンズは、携帯電話のカメラレンズとして選択されることができない。従って、携帯電話のカメラは広角効果を得ることができない。
【発明の概要】
【課題を解決するための手段】
【０００４】
本発明の実施形態は、携帯電話のカメラが広角効果を得ることができないという問題を解決するための撮影装置を提供する。
【０００５】
第1態様によれば、撮影装置が提供され、撮影装置は、第1レンズおよび第2レンズであって、第1レンズおよび第2レンズは、撮影装置の2つの隣接する表面上にそれぞれ配置され、第1レンズは第1像を取得するように構成され、かつ第2レンズは第2像を取得するように構成される第1レンズおよび第2レンズと、第1レンズの光軸と第2レンズの光軸との交差点に配置され、かつ第1像を透過しまたは反射しかつ第2像を反射しまたは透過するように構成された光制御部と、光制御部を使用することによって、第1像および第2像を集光し、かつ第1像および第2像を広視野の像に合成するように構成されたイメージセンシング部とを備える。
【０００６】
第1態様の実施態様を参照すると、第1態様の第1実施方式において、第1レンズは第1時点で第1像を取得し、かつ第2レンズは第2時点で第2像を取得し、第1時点は第2時点と異なる。
【０００７】
第1態様の実施方式または第1態様の第1実施方式を参照すると、第1態様の第2実施方式において、光制御部は半透過半反射レンズであり、第1レンズによって取得された第1像は、半透過半反射レンズによってイメージセンシング部に透過され、かつ第2レンズによって取得された第2像は、半透過半反射レンズによってイメージセンシング部に反射される。
【０００８】
第1態様の実施方式または第1態様の第1実施方式を参照すると、第1態様の第3実施方式において、光制御部は、第1時点で第1レンズによって取得された第1像を透過し、かつ光制御部は、第2時点で第2レンズによって取得された第2像を反射する。
【０００９】
第1態様の実施方式から第1態様の第3実施方式を参照すると、第1態様の第4実施方式において、撮影部は、第1レンズによって第1像を取得する時間と、第2レンズによって第2像を取得する時間とが、イメージセンシング部の露光時間にそれぞれ一致するように、第1レンズおよび第2レンズをイメージセンシング部と同期させるように構成され、または、光制御部によって透過しまたは反射する時間が、イメージセンシング部の露光時間に一致するように、光制御部をイメージセンシング部と同期させるように構成された同期クロック部をさらに備える。
【００１０】
第1態様の実施方式から第1態様の第4実施方式を参照すると、第1態様の第5実施方式において、撮影部は、第1像および第2像の収差補償またはズームを実行するために、光制御部と、イメージセンシング部との間に配置されるレンズグループ部をさらに備える。
【００１１】
第1態様の実施方式から第1態様の第5実施方式を参照すると、第1態様の第6実施方式において、撮影部は、光制御部とイメージセンシング部との間に配置された遅延部およびマイクロレンズアレイをさらに備え、マイクロレンズアレイは、第1像および第2像のズームを実行するために、遅延部と、イメージセンシング部との間に配置される。
【００１２】
第1態様の実施方式から第1態様の第6実施方式を参照すると、第1態様の第7実施方式において、超広視野の像を取得するために、2つの隣接する表面は第1コーナーを形成し、撮影部は第1コーナーに隣接するコーナーに配置され、かつ撮影装置は撮影装置の中心軸の周りに回転撮影を実行する。
【００１３】
第1態様の実施方式から第1態様の第7実施方式を参照すると、第1態様の第8実施方式において、光制御部は、45度の角度で第1レンズの光軸または第2レンズの光軸と交差する。
【００１４】
前述の解決策により、本発明の有益な効果は、本発明において、第1レンズは第1像を取得するように構成され、第2レンズは第2像を取得するように構成され、イメージセンシング部は、光制御部を使用し、第1レンズによって取得された第1像と、第2レンズによって取得された第2像とを集光し、かつイメージセンシング部は第1像および第2像を広視野の像に合成し、その結果、広角効果を達成することができる。
【図面の簡単な説明】
【００１５】
本発明の実施形態における技術的解決策をより明確に説明するために、実施形態を説明するために必要な添付図面を以下に簡単に説明する。明らかに、以下の説明における添付図面は単に本発明のいくつかの実施形態を示しているに過ぎず、かつ当業者は創造的努力なしにこれらの添付図面から他の図面をさらに導き出すことができる。
【００１６】
【図１】本発明の第1実施形態に基づく撮影装置の概略構造図である。
【図２】本発明の第2実施形態に基づく撮影装置の概略構造図である。
【図３】本発明の第3実施形態に基づく撮影装置の概略構造図である。
【図４】本発明の第4実施形態に基づく撮影装置の概略構造図である。
【図５】本発明の第5実施形態に基づく撮影装置の概略構造図である。
【図６】本発明の第6実施形態に基づく撮影装置の概略構造図である。
【図７】本発明の第7実施形態に基づく撮影装置の概略構造図である。
【発明を実施するための形態】
【００１７】
本発明の実施形態における添付図面を参照して、本発明の実施形態における技術的解決策を以下に明確かつ十分に説明する。明らかに、説明される実施形態は、本発明の実施形態の単なる一部に過ぎず、全てではない。創造的努力なしに本発明の実施形態に基づいて当業者によって得られる全ての他の実施形態は、本発明の保護範囲内に入るものとする。
【００１８】
図1を参照すると、図1は、本発明の第1実施形態に基づく撮影装置10の概略構造図である。図1に示されるように、この実施形態に開示される撮影装置10は、少なくとも1つの撮影部100を備える。撮影部100は、第1レンズ101と、第2レンズ102と、光制御部103と、イメージセンシング部104とを備える。
【００１９】
この実施形態において、第1レンズ101および第2レンズ102は、撮影装置10の2つの隣接する表面上にそれぞれ配置される。任意選択で、第1レンズ101および第2レンズ102は、撮影装置10の2つの隣接する側面に配置される。第1レンズ101は、撮影装置10の前方側面11上の右側の位置に配置され、かつ第2レンズ102は、撮影装置10の右側面12上の前方位置に配置される。特定の重複領域Aは、第1レンズ101の視野と、第2レンズ102の視野との間に存在する。第1レンズ101は第1像を取得するように構成され、かつ第2レンズ102は第2像を取得するように構成される。さらに、第1レンズ101および第2レンズ102の両方は、ガラスまたはプラスチックレンズの複数のシートを含む。第1レンズ101の仕様は、第2レンズ102の仕様と同一である。本発明の別の実施形態において、第1レンズ101の仕様は、第2レンズ102の仕様と異なってもよい。
【００２０】
光制御部103は、第1レンズ101の光軸105と、第2レンズ102との光軸106の交差点107に配置される。任意選択で、光制御部103は、45度の角度で第1レンズ101の光軸105または第2レンズ102の光軸106と交差する。この実施形態に開示される光制御部103は、第1レンズ101の光軸105と、第2レンズ102の光軸106との両方と45度の角度で交差し、かつ第1レンズ101および第2レンズ102は、光制御部103に関して鏡面対称である。さらに、光制御部103は、第1像を透過しまたは反射し、かつ第2像を反射しまたは透過するように構成される。この実施形態に開示される光制御部103は、第1像および第2像の両方がイメージセンシング部104に到達できるように、第1像を透過し、かつ第2像を反射するように構成される。
【００２１】
この実施形態において、1つのイメージセンシング部104が共有されるように、イメージセンシング部104は、光制御部103を使用することによって、第1レンズ101により取得される第1像を集光し、かつ光制御部103を使用することによって、第2レンズ102により取得される第2像を集光するように構成される。イメージセンシング部104は、広角効果を達成するために、第1像および第2像を広視野の像に合成する。さらに、この実施形態における撮影装置10において、1つのイメージセンシング部104が共有され、それによって、撮影装置10を小型化し、かつコストを削減する。
【００２２】
任意選択で、この実施形態における撮影装置10は、撮影機能を有する携帯電話である。本発明の別の実施形態において、撮影装置10はまた、撮影機能を有するパームトップコンピュータまたはタブレットコンピュータ等であってもよい。
【００２３】
本発明は、第1実施形態に開示された撮影装置10に基づいて詳細に説明される第2実施形態に基づく撮影装置をさらに提供する。図2に示されるように、この実施形態に開示される撮影装置20は、プロセッサ210をさらに含み、プロセッサ210は、第1レンズ201および第2レンズ202にそれぞれ接続されている。
【００２４】
この実施形態において、第1レンズ201は第1制御可変絞り211を含み、かつ第2レンズ202は第2制御可変絞り212を含む。プロセッサ210は、第1制御可変絞り211および第2制御可変絞り212にそれぞれ接続され、かつ第1制御可変絞り211および第2制御可変絞り212に制御信号を提供し、その結果、プロセッサ210は、第1制御可変絞り211を使用して、第1時点t1で第1像を取得するように第1レンズ201を制御し、かつ第2制御可変絞り212を使用して、第2時点t2で第2像を取得するように第2レンズ202を制御する。任意選択で、第1時点t1および第2時点t2の値は、0.08-0.11sであり、かつ第1時点t1は第2時点t2と異なる。本発明の別の実施形態において、第1レンズ201および第2レンズ202は、別の方式で、第1レンズ201が第1時点t1で第1像を取得し、かつ第2レンズ202が第2時点t2で第2像を取得するように実施してもよい。例えば、第1レンズ201および第2レンズ202の両方は、制御可能なシャッターを備えてもよい。
【００２５】
この実施形態において、光制御部203は半透過半反射レンズである。半透過半反射レンズの一方の面は、完全に光を透過することができ、かつ他方は、完全に光を反射することができ、低吸収によって特徴付けられている。第1時点t1で、第1レンズ201は第1像を取得し、かつ第1像は半透過半反射レンズによってイメージセンシング部204に完全に透過され、第2時点t2で、第2レンズ202は第2像を取得し、かつ第2像は半透過半反射レンズによってイメージセンシング部204に完全に反射される。
【００２６】
この実施形態に開示される撮影部200は、同期クロック部213をさらに備え、同期クロック部213は、第1レンズ201と、第2レンズ202と、イメージセンシング部204とにそれぞれ接続される。同期クロック部213は、第1レンズ201および第2レンズ202を、イメージセンシング部204と同期させるように構成され、その結果、第1制御可変絞り211のターンオン/ターンオフ時間は、イメージセンシング部204の露光時間に一致し、第1制御可変絞り211のターンオン/ターンオフ時間は、第1レンズ201によって第1像を取得する時間であり、かつ第2制御可変絞り212のターンオン/ターンオフ時間は、イメージセンシング部204の露光時間に一致し、第2制御可変絞り212のターンオン/ターンオフ時間は、第2レンズ202によって第2像を取得する時間である。任意選択で、同期クロック部213の時間差は、10msである。本発明の別の実施形態において、同期クロック部213は、撮影装置20の別のデバイス上に配置されてもよい。例えば、同期クロック部213がプロセッサ210上に配置される。
【００２７】
この実施形態において、イメージセンシング部204は、第1レンズ201および第2レンズ202の像面上に配置される。広角効果を達成するために、イメージセンシング部204は、半透過半反射レンズを使用して、第1時点t1で第1像を集光するとともに、第2時点t2で第2像を集光し、かつイメージ結合アルゴリズムを使用して、第1像および第2像を広視野の像に結合するとともに合成する。
【００２８】
任意選択で、撮影部200はレンズグループ部214をさらに備える。レンズグループ部214は、光制御部203とイメージセンシング部204との間に配置される。レンズグループ部214が収差補償レンズグループであるとき、イメージセンシング部204での像収差を減少させ、かつ第1像および第2像に収差補償を実行するために、レンズグループ部214は、第1レンズ201および第2レンズ202の光が光制御部203によって透過されまたは反射された後に生成される収差を補償するように構成される。レンズグループ部214がズームレンズグループであるとき、第1像および第2像をズームするために、レンズグループ部214は、撮影装置20の焦点距離を変更するように構成され、ズームレンズグループは、例えばボイスコイルモータのようなデバイスを含んでもよい。
【００２９】
さらに、ユーザは、回転軸として撮影装置20の中心軸220を使用することによって、回転撮影を実行してもよく、かつイメージセンシング部204は複数の像をドームスクリーン効果を有する像に結合するとともに合成する。
【００３０】
本発明は、第3実施形態に基づく撮影装置をさらに提供し、第2実施形態に開示される撮影装置20に基づいて詳細に説明される。この実施形態に開示される撮影装置は、第2実施形態に開示される撮影装置20と、以下の点において異なる。図3に示されるように、この実施形態における光制御部303は、第1時点t1で電圧がロード/アンロードされ、かつ光制御部303は、第1像を完全に透過し、かつ光制御部303は、第2時点t2で電圧がアンロード/ロードされ、かつ光制御部303は、第2像を完全に反射する。従って、光制御部303は第1時点t1で第1像を透過し、かつ第2時点t2で第2像を反射する。
【００３１】
第1レンズ301と、第2レンズ302と、光制御部303とをイメージセンシング部304に同期させるために、同期クロック部313は、第1レンズ301と、第2レンズ302と、光制御部303と、イメージセンシング部304とにそれぞれ接続される。広角効果を達成するために、イメージセンシング部304は、光制御部303を使用して、第1時点t1で第1像を集光し、かつ第2時点t2で第2像を集光し、かつイメージ結合アルゴリズムを使用して、第1像および第2像を広視野の像に結合するとともに合成する。
【００３２】
本発明は、第4実施形態に基づく撮影装置をさらに提供し、第1実施形態に開示される撮影装置10に基づいて詳細に説明される。図4に示されるように、この実施形態に開示される撮影部400は同期クロック部413をさらに備える。
【００３３】
この実施形態において、ユーザが撮影指示をトリガするとき、第1レンズ401は第1像を取得し、かつ第2レンズ402は第2像を取得する。光制御部403は第1時点t1で電圧がロード/アンロードされ、かつ光制御部403は第1像を完全に透過するとともに光制御部403は同時に第2像を完全に透過する。光制御部403が第2時点t2で電圧がアンロード/ロードされ、かつ光制御部403が第1像を完全にブロックするとともに光制御部403が同時に第2像を完全に反射する。従って、光制御部403は、第1時点t1で第1像を透過するとともに第2時点t2で第2像を反射する。
【００３４】
この実施形態において、光制御部403の透過または反射時間がイメージセンシング部404の露光時間に一致するように、光制御部403をイメージセンシング部404と同期させるために、同期クロック部413は、光制御部403およびイメージセンシング部404にそれぞれ接続される。同期クロック部413は、第2実施形態に開示された同期クロック部213と同一である。広角効果を達成するために、イメージセンシング部404は光制御部403を使用して、第1時点t1で第1像を集光するとともに第2時点t2で第2像を集光し、かつイメージ結合アルゴリズムを使用して、第1像および第2像を広視野の像に結合するとともに合成する。
【００３５】
任意選択で、撮影部はレンズグループ部414をさらに備え、レンズグループ部414は、光制御部403と、イメージセンシング部404との間に配置される。レンズグループ部414が収差補償レンズグループであるとき、イメージセンシング部404での像収差を減少させ、かつ第1像および第2像に収差補償を実行するために、レンズグループ部414は、第1レンズ401および第2レンズ402の光が光制御部403によって透過されまたは反射された後に生成される収差を補償するように構成される。レンズグループ部414がズームレンズグループであるとき、第1像および第2像をズームするために、レンズグループ部414は、撮影装置の焦点距離を変更するように構成され、ズームレンズグループは、例えばボイスコイルモータのようなデバイスを含んでもよい。
【００３６】
本発明は、第5実施形態に基づく撮影装置をさらに提供し、第1実施形態に開示される撮影装置10に基づいて詳細に説明される。図5に示されるように、この実施形態に開示される撮影部500は、遅延部515およびマイクロレンズアレイ516をさらに備える。遅延部515およびマイクロレンズアレイ516は、光制御部503とイメージセンシング部504との間に配置される。すなわち、遅延部515が、光制御部503の近くに配置され、かつマイクロレンズアレイ516が、遅延部515と、イメージセンシング部504との間に配置される。遅延部515は、遅延部515の後の面まで第1レンズ501および第2レンズ502の像面を遅延させるように構成され、かつズーム機能を有する。マイクロレンズアレイ516は、第1像および第2像のズームを実行するために、遅延部515を通過する光をイメージセンシング部504に投影するように構成されている。
【００３７】
本発明は、第6実施形態に基づく撮影装置をさらに提供する。図6に示されるように、この実施形態に開示される撮影装置60は、第1撮影部600および第2撮影部601を備え、撮影装置60の2つの隣接する表面は、第1コーナー63を形成する。任意選択で、撮影装置60の前方側面61および右側面62は、第1コーナー63と、第1コーナー61に隣接するコーナー64を形成する。第1撮影部600は、第1コーナー63に配置され、かつ第2撮影部601は、コーナー64に配置される。第1撮影部600および第2撮影部601は、第1実施形態における撮影部100、第2実施形態における撮影部200、第3実施形態における撮影部、第4実施形態における撮影部400、または第5実施形態における撮影部500であってもよい。さらに、超広視野の像を取得するために、撮影装置60は、回転軸として撮影装置60の中心軸602を使用して回転撮影を実行する。
【００３８】
本発明は第7実施形態に基づく撮影装置をさらに提供する。図7に示されるように、この実施形態に開示される撮影装置70は、少なくとも1つの撮影デバイス700を備える。撮影デバイス700は、少なくとも第1レンズ701および第2レンズ702と、光コントローラ703と、イメージセンサ704とを備える。
【００３９】
この実施形態において、第1レンズ701および第2レンズ702が、撮影装置70の2つの隣接する側面に配置される。すなわち、第1レンズ701が、撮影装置70の前方側面71上の右側の位置に配置され、かつ、第2レンズ702が、撮影装置70の右側面72上の前方位置に配置される。特定の重複領域Aが、第1レンズ701の視野と第2レンズ702の視野との間に存在する。第1レンズ701が第1像を取得するように構成され、かつ第2レンズ702が第2像を取得するように構成される。
【００４０】
光コントローラ703が、第1レンズ701の光軸705と、第2レンズ702の光軸706との交差点707に配置される。任意選択で、光コントローラ703は、45度の角度で第1レンズ701の光軸705または第2レンズ702の光軸706と交差する。この実施形態に開示される光コントローラ703は、45度の角度で第1レンズ701の光軸705および第2レンズ702の光軸706の両方と交差し、かつ第1レンズ701および第2レンズ702は、光コントローラ703に関して鏡面対称である。さらに、光コントローラ703は、第1像または第2像を透過しまたは反射するように構成される。この実施形態に開示される光コントローラ703は、第1像および第2像の両方がイメージセンサ704に到達することができるように、第1像を透過し、かつ第2像を反射するように構成される。
【００４１】
この実施形態において、1つのイメージセンサ704が共有されるように、イメージセンサ704は、光コントローラ703を使用することによって第1時点t1で第1像を集光し、かつ、光コントローラ703を使用することによって第2時点t2で第2像を集光するように構成される。任意選択で、第1時点t1および第2時点t2の値は0.08-0.11sであってもよい。広角効果を達成するために、イメージセンサ704は、第1像および第2像を広視野の像に合成してもよい。さらに、この実施形態における撮影装置70では、1つのイメージセンサ704が共有され、それによって、撮影装置70を小型化し、かつコストを削減する。
【００４２】
結果として、本発明において、広角効果を達成するために、第1レンズは第1像を取得するように構成され、第2レンズは第2像を取得するように構成され、かつイメージセンシング部は、光制御部を使用して、第1レンズによって取得された第1像と、第2レンズによって取得された第2像とを集光し、かつ第1像および第2像を広視野の像に合成する。さらに、本発明において、1つのイメージセンシング部が共有され、それによって、撮影装置を小型化し、かつコストを削減する。
【００４３】
上述の説明は、単なる本発明の実施形態に過ぎず、かつ本発明の保護範囲はこれに限定されない。本発明における本明細書および添付図面の内容に基づいて、または、本発明を他の関連する技術分野に直接的または間接的に適用することによって行われるすべての等価な構造またはプロセスの変更は、本発明の保護範囲内に入るものとする。
【符号の説明】
【００４４】
１０  撮影装置
１１  前方側面
１２  右側面
２０  撮影装置
６０  撮影装置
６１  前方側面
６２  右側面
６３  第１コーナー
６４  コーナー
７０  撮影装置
７１  前方側面
７２  右側面
１００  撮影部
１０１  第１レンズ
１０２  第２レンズ
１０３  光制御部
１０４  イメージセンシング部
１０５  光軸
１０６  光軸
１０７  交差点
２００  撮影部
２０１  第１レンズ
２０２  第２レンズ
２０３  光制御部
２０４  イメージセンシング部
２１０  プロセッサ
２１３  同期クロック部
２１４  レンズグループ部
２２０  中心軸
３０１  第１レンズ
３０２  第２レンズ
３０３  光制御部
３０４  イメージセンシング部
３１３  同期クロック部
４００  撮影部
４０１  第１レンズ
４０２  第２レンズ
４０３  光制御部
４０４  イメージセンシング部
４１３  同期クロック部
４１４  レンズグループ部
５００  撮影部
５０１  第１レンズ
５０２  第２レンズ
５０３  光制御部
５０４  イメージセンシング部
５１５  遅延部
５１６  マイクロレンズアレイ
６００  第１撮影部
６０１  第２撮影部
６０２  中心軸
７００  撮影デバイス
７０１  第１レンズ
７０２  第２レンズ
７０３  光コントローラ
７０４  イメージセンサ
７０５  光軸
７０６  光軸
７０７  交差点
Ａ  重複領域
ｔ１  第1時点
ｔ２  第2時点
【図１】
0006562561.tif 000002
【図２】
0006562561.tif 000003
【図３】
0006562561.tif 000004
【図４】
0006562561.tif 000005
【図５】
0006562561.tif 000006
【図６】
0006562561.tif 000007
【図７】
0006562561.tif 000008